(57)【要約】      （修正有）【課題】放熱問題を改善し、消費電力を削減する疑似ネールグルー固化装置を提供する。【解決手段】台座、ハウシング、制御回路と発光ダイオード部品を備えてなるものであり、ハウシングは内槽と外ケースを結合して作られ、内槽または外ケースを台座と連結することができるが、制御回路は内槽と外ケースを結合して形成された空間内に設けられるが、発光ダイオード部品は内槽のてっぺんに設けられ、制御回路と電気的に接続し、また、発光ダイオード部品は動作して、紫外線を生成するように設けられていることを特徴とする。【選択図】図２
0003151750.tif 000002
【実用新案登録請求の範囲】
【請求項１】
台座、ハウシング、制御回路と発光ダイオード部品を備えてなるものであり、該ハウシングは内槽と外ケースを結合して構成されてから、内槽または外ケースを台座と連結することができるが、少なくとも一つ設けられる該制御回路は、内槽と外ケースを結合して形成された空間内に設けられるが、また、少なくとも一つある発光ダイオード部品は、内槽のてっぺんに設けられ、制御回路と電気的に接続していることを特徴とする擬似ネールグルー固化装置。
【請求項２】
該台座の表面には、少なくとも一つの定位置ポイントが設けられていることを特徴とする請求項１に記載の擬似ネールグルー固化装置。  
【請求項３】
該台座の両側の縁に近いところには、バックルが設けられていることを特徴とする請求項１に記載の擬似ネールグルー固化装置。
【請求項４】
該内槽の両側の縁に近いところには、バックル孔が設けられていることを特徴とする請求項１に記載の擬似ネールグルー固化装置。
【請求項５】
該内槽のてっぺんには、掌型放射状之開放孔が設けられていることを特徴とする請求項１に記載の擬似ネールグルー固化装置。
【請求項６】
該開放孔は、斜面構造に設けられていることを特徴とする請求項５に記載の擬似ネールグルー固化装置。
【請求項７】
該ハウシングの内槽と外ケースの前縁は、開放側に形成されていることを特徴とする請求項１に記載の擬似ネールグルー固化装置。
【請求項８】
該台座とハウシングの内槽または外ケースの後側とは、ヒンジ機構で連結されることを特徴とする請求項１に記載の擬似ネールグルー固化装置。
【請求項９】
該発光ダイオード部品は、紫外線を放出するように設けられていることを特徴とする請求項１に記載の擬似ネールグルー固化装置。  
【請求項１０】
該紫外線は、長波紫外線、中波紫外線または短波紫外線でもよいことを特徴とする請求項９に記載の擬似ネールグルー固化装置。
【請求項１１】
該ハウシングの外ケースの上方には制御パネルが設けられ、該制御パネルと制御回路とが電気的に接続していることを特徴とする請求項１に記載の擬似ネールグルー固化装置。
【請求項１２】
該台座の前縁には、可動飾り板が設けられることを特徴とする請求項１に記載の擬似ネールグルー固化装置。
【請求項１３】
該ハウシングの内槽には、検査口が設けられていることを特徴とする請求項１に記載の擬似ネールグルー固化装置。
【請求項１４】
該ハウシングの外ケースには、検査窓が設けられていることを特徴とする請求項１に記載の擬似ネールグルー固化装置。
【考案の詳細な説明】
【技術分野】
【０００１】
本考案は固化装置に関わり、特に発光ダイオードで紫外線を生成して、ランプの放射に代わって用いられる擬似ネールグルー固化装置に関する。  
【背景技術】
【０００２】
市販の擬似ネールグルー（紫外線グルー、紫外線硬化樹脂）の固化装置１は、ランプ１１から放出された紫外線を用いて、擬似ネールグルーの固化反応を行わせるようにするが、図１に示すように、従来の固化装置１は、擬似ネールグルーを固化させることができるが、そこにまだ不十分なところが残されているが、一つめは、ランプ１１の照射で、擬似ネールグルーを固化させるとき、熱源が発生し、また、ランプ１１が固化装置１に設けられているため、ランプ１１の熱源が容易に放出できず、温度が高くなり、放熱不良となること、二つめは、ランプ１１から生じられた光が放射状となり、  集光効果がなく、ランプ１１で照射したとき、擬似ネールグルーの固化反応は時間がかかり、効果が比較的に悪く、また、擬似ネールグルーの固化が不完全になった場合、照射時間を延ばさなければならないので、時間の無駄使いとなり、消費電力もかかり、電気代がかかること、三つめは、ランプ１１で照射したとき、擬似ネールグルー固化に必要な時間がが効率よく制御できないこと、四つめは、ランプ１１の使用寿命が比較的に短く、常に新品に交換する必要があり、コストがかかること。上述したように、従来の欠点を解決するのが、関連業者たちがそれを発展して努力していくべき方向である。  
【０００３】
それを鑑みて、考案者が上述の欠点への改善を行い、持続的に改善する精神を持って、積極的に改良し、その設計開発に取り組んできたところ、ようやく本考案の擬似ネールグルー固化装置を得られたわけである。  
【考案の開示】
【考案が解決しようとする課題】
【０００４】
本考案の擬似ネールグルー固化装置では、従来のランプに代わって、発光ダイオード部品を用いることによって、発光ダイオード部品の照射はランプの照射より、生成される熱源が少なく、熱源が直接に低減され、放熱問題が改善できることが第一の目的である。
【０００５】
本考案の擬似ネールグルー固化装置では、発光ダイオード部品が斜面構造を通じて、光源の反射が起こり、光線路が比較的に集中し、擬似ネールグルー固化の反応效果が向上し、消費電力が削減、電気代も安くなることが第ニの目的である。
【０００６】
本考案の擬似ネールグルー固化装置において、発光ダイオード部品から生成された紫外線の光線路が比較的に集中し、擬似ネールグルー固化の反応時間が有効に制御でき、固化不完全の状況が避けられることが第三の目的である。
【０００７】
本考案の擬似ネールグルー固化装置において、発光ダイオード部品の使用寿命が比較的に長く、部品の交換率やコストも比較的に低いことが第四の目的である。
【課題を解決するための手段】
【０００８】
本考案の擬似ネールグルー固化装置は、台座、ハウシング、制御回路と発光ダイオード部品を備えてなるものであり、該ハウシングは内槽と外ケースを結合して作られ、内槽または外ケースを台座と連結することができるが、該制御回路は内槽と外ケースを結合して形成された空間内に設けられるが、該発光ダイオード部品は内槽のてっぺんに設けられ、制御回路と電気的に接続し、また、該発光ダイオード部品は動作して、紫外線を生成するように設けられていることを特徴としている。
【０００９】
上述のように、本考案は目的が明確で簡単なので達成されるものであり、先進な構造設計が設けられて、本考案の新規性と進歩性のニつの要件に一致している。上述の目的を達成させるために作られた本考案について、その技術手段や効果を審査委員により理解させるために、以下のように、図面に合わせて好適な実施の形態を挙げて説明する。  
【考案を実施するための形態】
【００１０】
まず、図２に示すのは、本考案の擬似ネールグルー固化装置の好適な実施形態イメージであり、該固化装置２は台座３、ハウシング４、制御回路５と発光ダイオード部品６を備えてなるものであり、該ハウシング４は、内槽４１と外ケース４２を結合して作られ、内槽４１または外ケース４２を台座３と連結することができるが、該制御回路５は内槽４１と外ケース４２を結合して形成された空間内に設けられるが、該発光ダイオード部品６は内槽４１のてっぺんに設けられ、制御回路５と電気的に接続している。
【００１１】
該台座３の表面には、定位置ポイント３１が設けられており、該定位置ポイント３１は使用者が手や足を置いたとき、中指の位置を決めるために用いられるが、それによって、図４に示すように、固化反応はが有効光源の範囲内で行われる。  
【００１２】
該ハウシング４の内槽４１と外ケース４２の前方には、対称して設けられた開放側４１１、４２１、が設けられて、手や足を中へ入れて利用できる。  
【００１３】
該台座３とハウシング４の内槽４１または外ケース４２の後側には、相互に連結可能なヒンジ機構３２、４１２が設けられるが、台座３の両側の縁に近いところにあるバックル３３、及び、内槽４１の両側の縁にあるバックル孔４１３に合わせて、相互にバックルを嵌めたり、外したりすることができるので、ハウシング４は台座３に対して開閉状態が得られる。  
【００１４】
該外ケース４２の上方には制御パネル４２２が設けられ、該制御パネル４２２と制御回路５とが電気的に接続しており、該制御パネル４２２では固化装置２の開閉も制御可能で、固化時間も設定できるが、また、該固化装置２は交流電圧または直流電圧の給電方法に適用。  
【００１５】
図２と図３に示すように、該固化装置２において、ハウシング４の内槽４１のてっぺんに掌型放射状開放孔４１４が設けられ、該開放孔４１４は斜面４１５構造をなしている。  
【００１６】
図３と図４に示すのは、本考案の擬似ネールグルー固化装置の好適な実施形態イメージであり、該発光ダイオード部品６は、開放孔４１４と開放孔４１４の斜面４１５構造を通じて、紫外線を薄シート７に照らすことになるが、図中に示される実施の形態において、各対応指部に８個の発光ダイオード部品６があるため、指部の位置に８個の円いライトポイント６１が形成されるが、薄シート７で指を包む前に、ネールに対応するところのシートを剥がして、ネール８を部分露出にすることができるが、擬似ネールグルー（紫外線グルー、紫外線硬化樹脂）を露出のネール８及び薄シート７の伸ばされた表面に塗布したあと、発光ダイオード部品６からの紫外線を擬似ネールグルーに照らして、固化反応を行わせるが、完全に固化されると、ネール８の表面に硬い擬似ネール層が直接に形成され、擬似ネールはもとのネール８より長くて、そこで、二次加工してネールアートなどを行うことができる。  
【００１７】
該発光ダイオード部品６，から放出された紫外線のライトポイント６１が擬似ネール作りの表面に正確に分布し、擬似ネールグルーの固化反応を早め、固化反応時間が大幅に短縮される。  
【００１８】
図５に示すのは、本考案の“擬似ネールグルー固化装置”のもう一つの好適な実施形態イメージであり、該内槽４１のてっぺんにある掌型放射状の開放孔４１４は、制御回路５と発光ダイオード部品６の設置に合わせて設けられている。  
【００１９】
また、内槽４１の後ろに検査口４１６があり、図六を合わせてみると、外ケース４２の後ろに同じく内槽４１の検査口４１６に対応するための検査窓４２３があり、そこから、手や足の定位置、使用状況または固化反応がはっきりと見られる。  
【００２０】
図７に示すのは、本考案の擬似ネールグルー固化装置のまたもう一つの好適な実施形態イメージであり、固化装置２の台座３の前縁には、可動飾り板３４が設けられるが、固化装置２を使用するとき、図７に示すように、飾り板３４を取外し、ハウシング４の開放側４１１、４２１から外せるが、使用した後、図８に示すように、飾り板３４をハウシング４の開放側４１１、４２１に戻して、埃などが固化装置２内に入られないように避けられる。  
【００２１】
該発光ダイオード部品６の生成する紫外線及びその波長は、短波紫外線、中波紫外線または長波紫外線でもよい。  
【００２２】
上述の内容をまとめてみると、本考案の擬似ネールグルー固化装置における掲示された実施の形態は、上述の効果が確実が達成されるし、本考案の出願までに、出版物に公開されていないものであり、新型特許出願の新規性と進歩性の要件に一致している。
【００２３】
ただし、上述の掲示した図面や説明は、本考案の好適な実施の形態であり、それを以って、本考案の保護範囲を制限してはならないとし、また、この分野の分かる者は、本考案の特徴やコンセプトを理解したうえ、それと同じ効果が得られる改造や変更を行っても、それらの改造や変更は、すべて本考案の請求範囲内に含まれるものとする。
【図面の簡単な説明】
【００２４】
【図１】従来の固化装置のイメージである。
【図２】本考案の固化装置の分解イメージである。
【図３】本考案の部品の部分構造イメージである。
【図４】本考案の好適な実施状態のイメージである。
【図５】本考案の固化装置のもう一つの組み合わせイメージである。
【図６】本考案固化装置のまたもう一つの組み合わせイメージである。
【図７】本考案固化装置の更にもう一つの組み合わせイメージである。
【図８】本考案固化装置のなおもう一つの組み合わせイメージである。
【符号の説明】
【００２５】
１  固化装置
２  固化装置
３  台座
４  ハウシング
５  制御回路
６  発光ダイオード部品
７  薄シート
８  ネール
１１  ランプ
３１  定位置ポイント
３２  ヒンジ機構
３３  バックル
３４  飾り板
４１  内槽
４１１  開放側
４１２  ヒンジ機構
４１３  バックル孔
４１４  開放孔
４１５  斜面
４１６  検査口
４２  外ケース
４２１  開放側
４２２  制御パネル
４２３  検査窓
６１  ライトポイント
【図１】
0003151750.tif 000003
【図２】
0003151750.tif 000004
【図３】
0003151750.tif 000005
【図４】
0003151750.tif 000006
【図５】
0003151750.tif 000007
【図６】
0003151750.tif 000008
【図７】
0003151750.tif 000009
【図８】
0003151750.tif 000010